【手続補正書】
【提出日】平成29年6月28日(2017.6.28)
【手続補正１】
【補正対象書類名】明細書
【補正対象項目名】００４３
【補正方法】変更
【補正の内容】
【００４３】
本明細書において、本発明の或る特定の特徴だけが図示および説明されてきたが、当業者には多くの変更および変形が思い浮かぶであろう。それゆえ、添付の特許請求の範囲は、本発明の真の趣旨に入る全てのこのような変更および変形を包含することを意図していることを理解されたい。
なお、本発明は以下の特徴を以って実施することができる。
［特徴１］
金属製造リソースのパフォーマンス監視方法であって、
金属製造リソースの金属製造動作中にサンプリングされる複数のパラメーターを表すデータを収集することであって、前記リソースは、個々のリソースおよびリソースのグループのリストからユーザーによって選択可能であることと、
少なくとも１つのコンピュータープロセッサを介して、前記収集されたパラメーターから第１の解析システムパラメーターを確定することと、
前記少なくとも１つのコンピュータープロセッサを介して、ユーザー閲覧可能ダッシュボードページを、前記第１の解析システムパラメーターを表す図形による印を用いて作成することと、
前記ユーザー閲覧可能ダッシュボードページを前記ユーザーに送信することとを含む金属製造リソースのパフォーマンス監視方法。
［特徴２］
前記第１の解析システムパラメーターは、前記リソースのアークオン時間パーセンテージ、堆積量および堆積速度のうちの少なくとも１つを含む特徴１に記載の方法。
［特徴３］
前記ユーザー閲覧可能ダッシュボードページの前記確定および前記作成は、クラウドリソースにおいて実行される特徴１に記載の方法。
［特徴４］
前記ユーザー閲覧可能ダッシュボードページは、ブラウザーにおいて閲覧可能なウェブページを含む特徴１に記載の方法。
［特徴５］
前記第１の解析システムパラメーターを該解析システムパラメーターに対する記憶された目標と比較することを含む特徴１に記載の方法。
［特徴６］
前記収集されたパラメーターから第２の解析システムパラメーターを確定することと、
前記ユーザー閲覧可能ダッシュボードページを、前記第２の解析システムパラメーターを表す図による印を用いて作成することとを含む特徴１に記載の方法。
［特徴７］
前記第１の解析システムパラメーターは、前記リストから前記ユーザーによって選択される第１の金属製造リソースに対応し、前記第２の解析システムパラメーターは、前記リストから前記ユーザーによって選択される異なる第２の金属製造リソースに対応する特徴６に記載の方法。
［特徴８］
前記第１の解析システムパラメーターは、第１の期間にわたって前記リストから前記ユーザーによって選択される第１の金属製造リソースに対応し、前記第２の解析システムパラメーターは、異なる第２の期間にわたって前記リストから前記ユーザーによって選択される前記第１の金属製造リソースに対応する特徴６に記載の方法。
［特徴９］
前記ユーザー閲覧可能ダッシュボードページは、前記少なくとも１つのコンピュータープロセッサと前記ユーザーとの間のセッションの開始時に該ユーザーに送信される前記第１のユーザー閲覧可能ページである特徴１に記載の方法。
［特徴１０］
金属製造リソースのパフォーマンス監視方法であって、
第１の期間にわたって第１の金属製造リソースの金属製造動作中にサンプリングされる第１の複数のパラメーターを表すデータを収集することであって、前記リソースは、個々のリソースおよびリソースのグループのリストからユーザーによって選択可能であることと、
少なくとも１つのコンピュータープロセッサを介して、前記第１の期間に対して前記第１の複数の収集されたパラメーターから第１のアークオン時間パーセンテージ値を確定することと、
前記少なくとも１つのコンピュータープロセッサを介して、ユーザー閲覧可能ダッシュボードページを、前記第１のアークオン時間パーセンテージを表す図形による印を用いて作成することと、
前記ユーザー閲覧可能ダッシュボードページを前記ユーザーに送信することとを含む金属製造リソースのパフォーマンス監視方法。
［特徴１１］
前記収集されたデータは、前記第１の期間にわたる作業時間および前記第１の金属製造リソースのアークオン時間を含み、前記第１のアークオン時間パーセンテージは、前記作業時間に対する前記アークオン時間の比によって求められる特徴１０に記載の方法。
［特徴１２］
第２の期間にわたって前記第１の金属製造リソースの前記金属製造動作中にサンプリングされる第２の複数のパラメーターを表すデータを収集することであって、前記リソースは、前記リストから前記ユーザーによって選択可能であることと、
前記少なくとも１つのコンピュータープロセッサを介して、前記第２の期間に対して前記収集されたパラメーターから第２のアークオン時間パーセンテージ値を確定することと、
前記少なくとも１つのコンピュータープロセッサを介して、前記ユーザー閲覧可能ダッシュボードページを、前記第２のアークオン時間パーセンテージを表す図形による印を用いて作成することとを含む特徴１０に記載の方法。
［特徴１３］
前記第１の期間にわたって第２の金属製造リソースの金属製造動作中にサンプリングされる第２の複数のパラメーターを表すデータを収集することであって、前記リソースは、前記リストから前記ユーザーによって選択可能であることと、
前記少なくとも１つのコンピュータープロセッサを介して、前記第２の期間に対して前記収集されたパラメーターから第２のアークオン時間パーセンテージ値を確定することと、
前記少なくとも１つのコンピュータープロセッサを介して、前記ユーザー閲覧可能ダッシュボードページを、前記第２のアークオン時間パーセンテージを表す図形による印を用いて作成することとを含む特徴１０に記載の方法。
［特徴１４］
前記第１のアークオン時間パーセンテージ値をアークオン時間パーセンテージに対する記憶された目標と比較することを含む特徴１０に記載の方法。
［特徴１５］
金属製造リソースのパフォーマンス監視方法であって、
第１の期間にわたって第１の金属製造リソースの金属製造動作中にサンプリングされる第１の複数のパラメーターを表すデータを収集することであって、前記リソースは、個々のリソースおよびリソースのグループのリストからユーザーによって選択可能であることと、
少なくとも１つのコンピュータープロセッサを介して、前記第１の期間に対して前記第１の複数の収集されたパラメーターから第１の堆積値を確定することと、
前記少なくとも１つのコンピュータープロセッサを介して、ユーザー閲覧可能ダッシュボードページを、前記第１の堆積値を表す図形による印を用いて作成することと、
前記ユーザー閲覧可能ダッシュボードページを前記ユーザーに送信することとを含む金属製造リソースのパフォーマンス監視方法。
［特徴１６］
前記収集されたデータは、前記第１の期間にわたる、前記第１の金属製造リソースのアークオン時間、ワイヤ送給速度およびワイヤの密度を含み、前記第１の堆積は、前記アークオン時間、前記ワイヤ送給速度および前記ワイヤの前記密度に少なくとも部分的に基づく特徴１５に記載の方法。
［特徴１７］
前記第１の堆積値は堆積速度を含む特徴１５に記載の方法。
［特徴１８］
第２の期間にわたって前記第１の金属製造リソースの前記金属製造動作中にサンプリングされる第２の複数のパラメーターを表すデータを収集することであって、前記リソースは、前記リストから前記ユーザーによって選択可能であることと、
前記少なくとも１つのコンピュータープロセッサを介して、前記第２の期間に対して前記収集されたパラメーターから第２の堆積値を確定することと、
前記少なくとも１つのコンピュータープロセッサを介して、前記ユーザー閲覧可能ダッシュボードページを、前記第２の堆積値を表す図形による印を用いて作成することとを含む特徴１５に記載の方法。
［特徴１９］
第１の期間にわたって第２の金属製造リソースの金属製造動作中にサンプリングされる第２の複数のパラメーターを表すデータを収集することであって、前記リソースは、前記リストから前記ユーザーによって選択可能であることと、
前記少なくとも１つのコンピュータープロセッサを介して、前記第２の期間に対して前記収集されたパラメーターから第２の堆積値を確定することと、
前記少なくとも１つのコンピュータープロセッサを介して、前記ユーザー閲覧可能ダッシュボードページを、前記第２の堆積値を表す図形による印を用いて作成することとを含む特徴１５に記載の方法。
［特徴２０］
前記第１の堆積値を堆積に対する記憶された目標と比較することを含む特徴１５に記載の方法。
［特徴２１］
金属製造リソースのパフォーマンス監視インターフェースであって、
ユーザー閲覧デバイスに送信されるコンピューター実行コードによって定義される少なくとも１つのユーザー閲覧可能ダッシュボードページを含み、該ダッシュボードページは、個々のリソースおよびリソースのグループのリストからユーザーによって選択可能な少なくとも１つの金属製造リソースと、関心対象の期間と、前記少なくとも１つの選択された金属製造リソースに対応する複数の収集されたパラメーターから確定された第１の解析システムパラメーターとを特定するユーザーが閲覧可能な印を含む、金属製造リソースのパフォーマンス監視インターフェース。
［特徴２２］
前記コードは汎用ブラウザーにおける閲覧のためにプロセッサによって実行可能である特徴２１に記載のインターフェース。
［特徴２３］
前記ユーザー閲覧可能ダッシュボードページは、前記第１の解析システムパラメーターの確定のために複数の金属製造リソースのうちの任意の１つのユーザー選択を受信するように構成される特徴２１に記載のインターフェース。
［特徴２４］
前記第１の解析システムパラメーターは、前記リソースのアークオン時間パーセンテージ、堆積量および堆積速度のうちの少なくとも１つを含む特徴２１に記載のインターフェース。
［特徴２５］
前記第１の解析システムパラメーターを確定するように構成されたクラウドリソースと通信するように構成される特徴２１に記載のインターフェース。
［特徴２６］
前記ユーザーが少なくとも報告期間および比較のためのパラメーターを選択することを可能にするように構成された少なくとも１つのユーザー閲覧可能ページを含む特徴２１に記載のインターフェース。
【手続補正２】
【補正対象書類名】特許請求の範囲
【補正対象項目名】全文
【補正方法】変更
【補正の内容】
【特許請求の範囲】
【請求項１】
金属製造リソースのパフォーマンス監視方法であって、
金属製造リソースの金属製造動作中にサンプリングされる複数のパラメーターを表すデータを収集することであって、前記リソースは、個々のリソースおよびリソースのグループのリストからユーザーによって選択可能であることと、
少なくとも１つのコンピュータープロセッサを介して、前記収集されたパラメーターから第１の解析システムパラメーターを確定することと、
前記少なくとも１つのコンピュータープロセッサを介して、ユーザー閲覧可能ダッシュボードページを、前記第１の解析システムパラメーターを表す図形による印を用いて作成することと、
前記ユーザー閲覧可能ダッシュボードページを前記ユーザーに送信することとを含む金属製造リソースのパフォーマンス監視方法。
【請求項２】
金属製造リソースのパフォーマンス監視方法であって、
第１の期間にわたって第１の金属製造リソースの金属製造動作中にサンプリングされる第１の複数のパラメーターを表すデータを収集することであって、前記リソースは、個々のリソースおよびリソースのグループのリストからユーザーによって選択可能であることと、
少なくとも１つのコンピュータープロセッサを介して、前記第１の期間に対して前記第１の複数の収集されたパラメーターから第１のアークオン時間パーセンテージ値を確定することと、
前記少なくとも１つのコンピュータープロセッサを介して、ユーザー閲覧可能ダッシュボードページを、前記第１のアークオン時間パーセンテージを表す図形による印を用いて作成することと、
前記ユーザー閲覧可能ダッシュボードページを前記ユーザーに送信することとを含む金属製造リソースのパフォーマンス監視方法。
【請求項３】
金属製造リソースのパフォーマンス監視方法であって、
第１の期間にわたって第１の金属製造リソースの金属製造動作中にサンプリングされる第１の複数のパラメーターを表すデータを収集することであって、前記リソースは、個々のリソースおよびリソースのグループのリストからユーザーによって選択可能であることと、
少なくとも１つのコンピュータープロセッサを介して、前記第１の期間に対して前記第１の複数の収集されたパラメーターから第１の堆積値を確定することと、
前記少なくとも１つのコンピュータープロセッサを介して、ユーザー閲覧可能ダッシュボードページを、前記第１の堆積値を表す図形による印を用いて作成することと、
前記ユーザー閲覧可能ダッシュボードページを前記ユーザーに送信することとを含む金属製造リソースのパフォーマンス監視方法。
【請求項４】
金属製造リソースのパフォーマンス監視インターフェースであって、
ユーザー閲覧デバイスに送信されるコンピューター実行コードによって定義される少なくとも１つのユーザー閲覧可能ダッシュボードページを含み、該ダッシュボードページは、個々のリソースおよびリソースのグループのリストからユーザーによって選択可能な少なくとも１つの金属製造リソースと、関心対象の期間と、前記少なくとも１つの選択された金属製造リソースに対応する複数の収集されたパラメーターから確定された第１の解析システムパラメーターとを特定するユーザーが閲覧可能な印を含む、金属製造リソースのパフォーマンス監視インターフェース。